(57)【要約】【課題】フランジからの脱落を防ぐことができる注射器用補助具を提供する。【解決手段】  注射器用補助具１は、全体が可撓性を有する樹脂材料からなり、プレート２と、プレート２設けられた円孔３と、プレート２のフランジ２３に対向する面にフランジ２３側に突出するように延設され、フランジ２３に外周側から嵌合する凹部８を内側面に有する少なくとも１対の脚部４，５，６，７とを備え、フランジ２３の基端側から押圧されることによりフランジ２３に装着される。【選択図】  図１
2015097673.tif 000002
【特許請求の範囲】
【請求項１】
先端部に穿刺針の取付部を有するとともに基端部にフランジを有し、薬液を収容するシリンジと、該シリンジの基端部から該シリンジの内部に装着されるガスケットと、該ガスケットに連結自在であって該ガスケットを前後方向に案内するプランジャーロッドとを備える注射器の該フランジに装着される注射器用補助具において、
全体が可撓性を有する樹脂材料からなり、
該フランジよりも大きいプレートと、
該プレートの該プランジャーロッド及び該ガスケットに対応する位置に穿設され、該プランジャーロッドの外径よりも大径であり且つ該ガスケットの外径よりも小径である直径を有する円孔と、
該プレートの該フランジに対向する面に該円孔を挟んで互いに対向し該フランジ側に突出するように延設され、該フランジに外周側から嵌合する凹部を内側面に有する少なくとも１対の脚部とを備え、
該フランジの基端側から押圧されることにより、該凹部が該フランジに嵌合し該フランジに装着されることを特徴とする注射器用補助具。
【請求項２】
請求項１記載の注射器用補助具において、
前記フランジは、互いに対向する１対の第１の円弧部と、該第１の円弧部に接続するとともに互いに対向する１対の第１の直線部とを有し、該第１の円弧部が該第１の直線部よりも外径側に位置している第１の長円形状からなり、
前記プレートは、対向する１対の第２の円弧部と該第２の円弧部に接続する１対の第２の直線部とを有し、該第２の円弧部が該第２の直線部よりも外径側に位置しているとともに該第１の直線部の外径側に位置し、該第２の直線部が該第１の円弧部の外径側に位置する第２の長円形状からなり、該第２の長円形状が該第１の長円形状と直交するように該シリンジに対向し、
前記脚部は、該第２の直線部の内径側に設けられ、前記凹部によって該フランジの該第１の円弧部を嵌合することを特徴とする注射器用補助具。
【発明の詳細な説明】
【技術分野】
【０００１】
本発明は、注射器のフランジに装着される注射器用補助具に関する。
【背景技術】
【０００２】
注射器は、一般に、先端部に穿刺針の取付部を有するとともに基端部にフランジを有し、薬液を収容するシリンジと、該シリンジの基端部から該シリンジの内部に装着されるガスケットと、該ガスケットに連結自在であって該ガスケットを前後方向に案内するプランジャーロッドとを備える。また、指を掛け易くして注射器のプランジャーロッドを押し易くするために、シリンジのフランジに装着される注射器用補助具が知られている。
【０００３】
図６（ａ）及び図６（ｂ）に示すように、従来、注射器用補助具１０１として、注射器１２１のシリンジ１２２のフランジ１２３を厚さ方向に挟持する１対の上下プレート１０２，１０３と、プレート１０２，１０３間にフランジ１２３を挿入するための横穴１０４と、上下プレート１０２，１０３を貫通してシリンジ１２２の外面と係合可能であって、横穴１０４に連通する略Ｕ字状の開口部１０５，１０６とを備えるものが知られている。上プレート１０２の開口部１０５は、ガスケット１２４の外径より小さく形成されている。注射器用補助具１０１は、横穴１０４にフランジ１２３を挿入することにより注射器１２１に装着される。
【０００４】
ところで、注射器の一種として知られる薬液充填済み注射器では、充填済み薬液と他の薬液とを混合して使用される場合がある。前記混合は、プランジャーロッドを基端側へ引き、先端部から他の薬液をシリンジ内へ吸引することにより行われる。
【０００５】
従来の注射器用補助具１０１は、前記薬液充填済み注射器に装着したときに、上プレート１０２の開口部１０５がガスケット１２４の外径より小さく形成されているので、プランジャーロッド１２５を基端側へ引いたときにガスケット１２４が開口部１０５に係合し、ガスケット１２４が脱落して薬液が漏れることを防ぐことができるとされている（例えば特許文献１参照）。
【先行技術文献】
【特許文献】
【０００６】
【特許文献１】特許第２８１４９８３号公報
【発明の概要】
【発明が解決しようとする課題】
【０００７】
しかしながら、従来の注射器用補助具１０１は、例えば前記他の薬液の粘度が高い場合にはプランジャーロッド１２５を基端側へ強く引くことがあり、勢い余って注射器用補助具１０１に注射器１２１に対して横方向の力が掛かると、開口部１０５，１０６が開いて、注射器用補助具１０１がフランジ１２３から脱落することがあるという不都合がある。
【０００８】
また、従来の注射器用補助具１０１は、前記薬液充填済み注射器に装着した状態で輸送されると、輸送による衝撃や振動等によって、開口部１０５，１０６が開いて、注射器用補助具１０１がフランジ１２３から脱落することがあるという不都合がある。
【０００９】
本発明は、フランジからの脱落を防ぐことができる注射器用補助具を提供することを目的とする。
【課題を解決するための手段】
【００１０】
前記目的を達成するために、本発明は、先端部に穿刺針の取付部を有するとともに基端部にフランジを有し、薬液を収容するシリンジと、該シリンジの基端部から該シリンジの内部に装着されるガスケットと、該ガスケットに連結自在であって該ガスケットを前後方向に案内するプランジャーロッドとを備える注射器の該フランジに装着される注射器用補助具において、全体が可撓性を有する樹脂材料からなり、該フランジよりも大きいプレートと、該プレートの該プランジャーロッド及び該ガスケットに対応する位置に穿設され、該プランジャーロッドの外径よりも大径であり且つ該ガスケットの外径よりも小径である直径を有する円孔と、該プレートの該フランジに対向する面に該円孔を挟んで互いに対向し該フランジ側に突出するように延設され、該フランジに外周側から嵌合する凹部を内側面に有する少なくとも１対の脚部とを備え、該フランジの基端側から押圧されることにより、該凹部が該フランジに嵌合し該フランジに装着されることを特徴とする。
【００１１】
本発明の注射器用補助具は、プランジャーロッドがガスケットに連結されていない状態にある注射器のフランジに装着される。本発明の注射器用補助具は、プレートの脚部が延設された面をフランジに対向させた後、フランジ側へ押圧することによりフランジに装着される。
【００１２】
本発明の注射器用補助具は、全体が可撓性を有する樹脂材料からなるので、フランジ側へ押圧したときに、脚部がフランジの周縁部によって外方へ弾性変形し、さらに押圧してフランジが凹部に達すると、脚部が内方へ復元してフランジと凹部とが嵌合する。この結果、本発明の注射器用補助具は、フランジと脚部との嵌合作用により、フランジに強固に係合される。
【００１３】
したがって、本発明の注射器用補助具によれば、フランジと脚部とが強固に係合していることにより、注射器に対して横方向又は前後方向の力が掛かったり、輸送による衝撃や振動等を受けた場合であっても、フランジからの脱落を防ぐことができる。
【００１４】
また、本発明の注射器用補助具は、少なくとも１対の脚部が、プランジャーロッド及び該ガスケットに対応する位置に設けられた円孔を挟んで対向するように設けられているので、注射器のフランジに確実に装着することができる。
【００１５】
また、本発明の注射器用補助具は、全体が可撓性を有する樹脂材料からなり、脚部が前記構成を備えるので、フランジ側へ押圧するだけで、フランジに簡単に装着することができる。
【００１６】
また、本発明の注射器用補助具は、フランジの円孔の直径がプランジャーロッドの外径よりも大径であるので、プランジャーロッドがガスケットに連結されていない状態にある注射器のフランジに装着された後、該円孔にプランジャーロッドを挿入し、該プランジャーロッドをガスケットに連結することができる。
【００１７】
本発明の注射器用補助具は、フランジの円孔の直径がガスケットの外形よりも小径であるので、プランジャーロッドを基端側へ引いたとき、該ガスケットが該円孔に係合することにより、該ガスケットのシリンジからの脱落を防ぎ、薬液の漏れを防ぐことができる。
【００１８】
ところで、注射器のフランジとしては、互いに対向する１対の第１の円弧部と、該第１の円弧部に接続するとともに互いに対向する１対の第１の直線部とを有し、該第１の円弧部が該第１の直線部よりも外径側に位置している第１の長円形状からなるものが知られている。
【００１９】
前記第１の長円形状からなるフランジに装着される注射器用補助具としては、プレートが、対向する１対の第２の円弧部と該第２の円弧部に接続する１対の第２の直線部とを有し、該第２の円弧部が該第２の直線部よりも外径側に位置している第２の長円形状からなり、脚部が、第２の円弧部の内径側に設けられ、凹部によって該フランジの該第１の円弧部を嵌合する注射器用補助具を用いることが考えられる。前記注射器用補助具は、第２の円弧部の内径側に設けられた脚部の凹部がフランジの第１の円弧部に嵌合することにより、フランジに装着される。
【００２０】
このような注射器用補助具を用いるときは、プレートのより外径側に突出している部分、すなわち、プレートの第２の円弧部とシリンジの外周面との境界部分に、作業者が人差し指と中指とを掛けて操作するのが一般的である。
【００２１】
しかしながら、人差し指と中指とが掛けられる第２の円弧部の内径側に、凹部によってフランジに嵌合する脚部が設けられているので、作業者の操作に伴って脚部に触れたときに、凹部とフランジとの嵌合が外れて、注射器用補助具がフランジから脱落する虞がある。
【００２２】
そこで、本発明の注射器用補助具は、前記フランジは、互いに対向する１対の第１の円弧部と、該第１の円弧部に接続するとともに互いに対向する１対の第１の直線部とを有し、該第１の円弧部が該第１の直線部よりも外径側に位置している第１の長円形状からなり、前記プレートは、対向する１対の第２の円弧部と該第２の円弧部に接続する１対の第２の直線部とを有し、該第２の円弧部が該第２の直線部よりも外径側に位置しているとともに該第１の直線部の外径側に位置し、該第２の直線部が該第１の円弧部の外径側に位置する第２の長円形状からなり、該第２の長円形状が該第１の長円形状と直交するように該シリンジに対向し、前記脚部は、該第２の直線部の内径側に設けられ、前記凹部によって該フランジの該第１の円弧部を嵌合するように構成されていることが好ましい。
【００２３】
プレートの第２の長円形状がフランジの第１の長円形状と直交する注射器用補助具によれば、第２の直線部の内径側に設けられた脚部の凹部がフランジの第１の円弧部に嵌合することにより、フランジに装着される。
【００２４】
このとき、第２の直線部の内径側に凹部によってフランジに嵌合する脚部が設けられているので、作業者が人差し指と中指とを第２の円弧部の内径側に掛けて操作したときに脚部に触れることを回避することができ、注射器用補助具のフランジからの脱落をさらに防ぐことができる。
【図面の簡単な説明】
【００２５】
【図１】本発明の実施形態の注射器用補助具及び注射器用補助具が装着される注射器を示す説明図である。
【図２】本発明の実施形態の注射器用補助具を示す説明図であり、図２（ａ）は平面図であり、図２（ｂ）は正面図であり、図２（ｃ）は下面図である。
【図３】プランジャーが装着されていない注射器に注射器用補助具を装着した状態を示す説明図である。
【図４】注射器用補助具が装着された注射器にプランジャーロットを装着した状態を示す説明図である。
【図５】注射器用補助具が装着された注射器からプランジャーロッドを基端側へ引いた状態を示す説明図である。
【図６】従来技術の注射器用補助具を示す説明図である。
【発明を実施するための形態】
【００２６】
次に、添付の図面を参照しながら本発明の実施の形態についてさらに詳しく説明する。
【００２７】
図１に示す本実施形態の注射器用補助具１は、薬液充填済み注射器２１のシリンジ２２の基端部に設けられたフランジ２３に装着される補助具である。注射器用補助具１は、指を掛け易くすることにより、シリンジ２２内のガスケット２４に連結されるプランジャーロッド２５を押し易くすることができる。
【００２８】
シリンジ２２は、先端部に穿刺針の取付部２６を有している。
【００２９】
フランジ２３は、円形状であってもよいが、本実施形態では、互いに対向する１対の第１の円弧部２３ａと、第１の円弧部２３ａに接続するとともに互いに対向する１対の第１の直線部２３ｂとを有する第１の長円形状からなる。第１の円弧部２３ａは、第１の直線部２３ｂよりも外径側に位置している。
【００３０】
ガスケット２４は、シリンジ２２の基端部からシリンジ２２の内部に装着され、シリンジ２２内に収容される薬液の漏れを防ぐための栓として作用する。
【００３１】
プランジャーロッド２５は、ねじ込むことによってガスケット２４に連結自在となっていて、連結されたガスケット２４を前後方向に案内することができる。
【００３２】
注射器用補助具１は、全体がポリプロピレン、ポリカーボネート等の可撓性を有する樹脂材料からなる。注射器用補助具１は、フランジ２３よりも大きいプレート２と、プレート２の中央に穿設された円孔３と、プレート２のフランジ２３に対向する面にフランジ２３側に突出する２対の脚部４，５，６，７とを備えている。
【００３３】
プレート２は、対向する１対の第２の円弧部２ａと第２の円弧部２ａに接続する１対の第２の直線部２ｂとを有する第２の長円形状からなる。第２の円弧部２ａは、第２の直線部２ｂよりも外径側に位置しているとともに第１の直線部２３ｂの外径側に位置し、第２の直線部２ｂは、第１の円弧部２３ａの外径側に位置している。プレート２は、第２の長円形状が第１の長円形状と直交するように、シリンジ２２に対向している。
【００３４】
円孔３は、プレート２のプランジャーロッド２５及びガスケット２４に対応する位置に設けられていて、プランジャーロッド２５（ただし押圧部２５ａは除く）の外径よりも大径であり且つガスケット２４の外径よりも小径である直径を備えている。
【００３５】
２対の脚部４，５，６，７は、プレート２の第２の直線部２ｂの内径側に設けられ、フランジ２３の第１の円弧部２３ａに係合する第１の脚部４，５と、プレート２の第２の円弧部２ａの内径側に設けられ、フランジ２３の第１の直線部２３ｂに係合する第２の脚部６，７とからなる。各脚部４，５，６，７は、第１の脚部４，５と第２の脚部６，７とが互いに直交するとともに、脚部４と脚部５、脚部６と脚部７とがそれぞれ円孔３を挟んで平行となる位置に設けられている。
【００３６】
各脚部４，５，６，７は、その内側面に、フランジ２３に外周側から嵌合する凹部８を備えている。
【００３７】
次に、図３〜５を参照して、注射器用補助具１の薬液充填済み注射器２１への装着方法を説明する。
【００３８】
まず、プランジャーロッド２５がガスケット２４に連結されていない状態にある薬液充填済み注射器２１のフランジ２３に、プレート２の脚部４，５，６，７が設けられている面を対向させる。そして、注射器用補助具１を、プレート２の前記面とは反対側の面からフランジ２３側へ押圧する。
【００３９】
このとき、注射器用補助具１は全体が可撓性を有する樹脂材料からなるので、各脚部４，５，６，７がフランジ２３の第１の円弧部２３ａ及び第１の直線部２３ｂによって外方へ弾性変形する。そして、さらに注射器用補助具１を圧入して、フランジ２３の第１の円弧部２３ａ及び第１の直線部２３ｂが各脚部４，５，６，７の凹部８に達すると、各脚部４，５，６，７が内方へ復元し、図３に示すように、フランジ２３の第１の円弧部２３ａ及び第１の直線部２３ｂと凹部８とが嵌合し、脚部４，５がフランジ２３の第１の円弧部２３ａと強固に係合し、脚部６，７がフランジ２３の第１の直線部２３ｂと強固に係合する。
【００４０】
次に、円孔３からプランジャーロッド２５を挿入し、図４に示すようにプランジャーロッド２５をねじ込みガスケット２４に連結する。
【００４１】
注射器用補助具１は、注射器２１のフランジ２３に装着された状態にあるとき、プレート２の第２の円弧部２ａとフランジ２３の外周面との境界部分に、作業者が人差し指と中指とを掛けて操作する。
【００４２】
薬液充填済み注射器２１において他の薬液と混合したい場合には、プランジャーロッド２５を基端側へ引き、先端部から他の薬液をシリンジ２２内へ吸引する。このとき、プランジャーロッド２５を基端側へ強く引き過ぎて、注射器用補助具１に基端側への強い力が掛かったとしても、図５に示すように、円孔３がガスケット２４の外径よりも小さな直径を備えるので、ガスケット２４が円孔３に係合してシリンジ２２から脱落することがなく、薬液の漏れを防ぐことができる。
【００４３】
本実施形態の注射器用補助具１によれば、フランジ２３と脚部４，５，６，７とが強固に係合していることにより、薬液充填済み注射器２１に対して横方向又は前後方向の力が掛かったり、輸送による衝撃や振動等を受けた場合であっても、フランジ２３からの脱落を防ぐことができる。
【００４４】
また、本実施形態の注射器用補助具１は、全体が可撓性を有する樹脂材料からなり、脚部４，５，６，７の凹部８とフランジ２３の第１の円弧部２３ａ及び第１の直線部２３ｂと係合するように構成されているので、フランジ２３に押圧するだけで、薬液充填済み注射器２１のフランジ２３に簡単に装着することができる。
【００４５】
さらに、本実施形態の注射器用補助具１は、２対の脚部４，５，６，７の凹部８が、フランジ２３の第１の円弧部２３ａ及び第１の直線部２３ｂに嵌合しているので、脚部が１対のみの場合と比較して、フランジ２３からの脱落を確実に防ぐことができる。
【００４６】
また、本実施形態の注射器用補助具１は、作業者が人差し指と中指とを掛ける部分に近接して脚部６，７が設けられているものの、該部分から離間した位置にも脚部４，５が設けられているので、操作中に脚部６，７に触れた場合であっても、脚部４，５の凹部８がフランジ２３に嵌合しているので、フランジ２３からの脱落を確実に防ぐことができる。
【００４７】
尚、本実施形態では、注射器用補助具１を薬液充填済み注射器２１に装着する場合について説明したが、薬液が充填されていない注射器に用いることも可能である。
【符号の説明】
【００４８】
１…注射器用補助具、  ２…プレート、  ２ａ…第２の円弧部、  ２ｂ…第２の直線部、  ３…円孔、  ４，５，６，７…脚部、  ８…凹部、  ２１…注射器、  ２２…フランジ、  ２３…フランジ、  ２３ａ…第１の円弧部、  ２３ｂ…第１の直線部、  ２４…ガスケット、  ２５…プランジャーロッド、  ２６…取付部。
【図１】
2015097673.tif 000003
【図２】
2015097673.tif 000004
【図３】
2015097673.tif 000005
【図４】
2015097673.tif 000006
【図５】
2015097673.tif 000007
【図６】
2015097673.tif 000008